(57)【要約】【課題】身体に装着したり、イヌなどのペットの首輪や引き綱につけ、夜間の散歩では、点灯・点滅させて目立たせ、交通事故から防ぎ、子供あるいはペットに携帯させる場合にネームプレート代わりにもなり、また、お年寄りの散歩時に杖やかばん、服にも装着できる多用途アクセサリー製品を提供することを目的とするものである。【解決手段】ポリカーボネート製からなり、分割されたケース体ユニットを連結して、内部には空洞部が形成されると共に、外部形状は各種類の立体形状に似せて構成されたケース体と、ケース体内の空洞部内には、ＬＥＤ基板と、ＬＥＤ基板を作動させる電源と、電源をＯＮ、ＯＦＦするスイッチとが内設され、ケース体を各種色つきの半透明色に形成し、ＬＥＤ基板におけるＬＥＤの発光色も各種用意し、ＬＥＤの選択された発光色が、選択された色つきの半透明色ケース体を通過し、混合された光の色で可視する、ことを特徴とする。  【選択図】              図１
2009183327.tif 000002
【特許請求の範囲】
【請求項１】
ポリカーボネート製からなり、分割されたケース体ユニットを連結して、内部には空洞部が形成されると共に、外部形状は各種類の立体形状に似せて構成されたケース体と、
前記ケース体内の空洞部内には、ＬＥＤ基板と、及び該ＬＥＤ基板を作動させる電源と、該電源をＯＮ、ＯＦＦするスイッチとが内設され、
前記ケース体を各種色つきの半透明色に形成し、前記ＬＥＤ基板におけるＬＥＤの発光色も各種用意し、
前記ＬＥＤの選択された発光色が、選択された色つきの半透明色ケース体を通過し、混合された光の色で可視する、  
ことを特徴とする多用途アクセサリー製品
【請求項２】
ポリカーボネート製からなり、分割されたケース体ユニットを連結して、内部には空洞部が形成されると共に、外部形状は各種類の立体形状に似せて構成されたケース体と、
前記ケース体内の空洞部内には、外側が各種の色つきに構成されたＬＥＤ基板と、及び該ＬＥＤ基板を作動させる電源と、該電源をＯＮ、ＯＦＦするスイッチとが内設され、
前記ケース体を各種色つきの半透明色に形成し、前記ＬＥＤ基板におけるＬＥＤの発光色も各種類用意し、
前記選択された色のＬＥＤ基板の色と、前記選択されたＬＥＤの発光色と、前記選択された色つきの半透明色ケース体の色とにより、ＬＥＤの発光が行われないとき、あるいはＬＥＤの発光がなされているときに、各々印象の異なる色で可視できる、  
ことを特徴とする多用途アクセサリー製品
【発明の詳細な説明】
【技術分野】
【０００１】
本発明は、ペット用アクセサリーとして、子供あるいは高齢者のかばんや、首からぶら下げさらには衣服や杖などに装着するネームプレート型アクセサリーとして、あるいはジョギングの際や夜間の走行や自転車の運転時に服や体や自転車に装着し、交通事故などのアクシデントを未然に防止するアクセサリー型警告灯としても用いられる多用途アクセサリー製品に関するものである。
【背景技術】
【０００２】
従来より、この種のアクセサリー製品あるいは警告灯など注意喚起用製品などは各種提案されていた。
しかしながら、夜間に光らせることにより、警告灯などの機能を持たせ、いわゆる交通事故を防止したり、自転車に乗るときに当該自転車や自転車で走行する人の服やかばんの携行品、あるいは身体に装着したり、さらにはイヌなどのペットの首輪や引き綱につけ、夜間の散歩では、点灯・点滅させて目立たせ、交通事故から防ぎ、また昼間でも、アクセサリーとしても使用でき、子供あるいはペットに携帯させる場合にネームプレート代わりにもなり、名前・連絡先を書くことで迷子札としても使用でき、またドックランなどの引き綱をつけない状態で、イヌが自由に遊ぶことができる場所での夕方・夜間に使用することで、自分のイヌがどこにいるのか容易に把握でき、また、お年寄りの散歩時に杖やかばん、服にも装着でき、特に夜の散歩時の交通事故などのアクシデントを未然に防止できる多用途アクセサリー製品は提案されてはいなかった。
【０００３】
【特許文献１】特開２００６−３４２２０５号公開公報
【発明の開示】
【発明が解決しようとする課題】
【０００４】
かくして、本発明は、前記従来の課題に対処するために創案されたものであり、夜間に光らせることにより、警告灯などの機能を持たせ、いわゆる交通事故を防止したり、自転車に乗るときに当該自転車や自転車で走行する人の服やかばんの携行品、あるいは身体に装着したり、さらにはイヌなどのペットの首輪や引き綱につけ、夜間の散歩では、点灯・点滅させて目立たせ、交通事故から防ぎ、また昼間でも、アクセサリーとしても使用でき、子供あるいはペットに携帯させる場合にネームプレート代わりにもなり、名前・連絡先を書くことで迷子札としても使用でき、またドックランなどの引き綱をつけない状態で、イヌが自由に遊ぶことができる場所での夕方・夜間に使用することで、自分のイヌがどこにいるのか容易に把握でき、また、お年寄りの散歩時に杖やかばん、服にも装着でき、特に夜の散歩時の交通事故などのアクシデントを未然に防止できる多用途アクセサリー製品を提供することを目的とするものである。
【課題を解決するための手段】
【０００５】
本発明による多用途アクセサリー製品は、
ポリカーボネート製からなり、分割されたケース体ユニットを連結して、内部には空洞部が形成されると共に、外部形状は各種類の立体形状に似せて構成されたケース体と、
前記ケース体内の空洞部内には、ＬＥＤ基板と、及び該ＬＥＤ基板を作動させる電源と、該電源をＯＮ、ＯＦＦするスイッチとが内設され、
前記ケース体を各種色つきの半透明色に形成し、前記ＬＥＤ基板におけるＬＥＤの発光色も各種用意し、
前記ＬＥＤの選択された発光色が、選択された色つきの半透明色ケース体を通過し、混合された光の色で可視する、  
ことを特徴とし、
または、
ポリカーボネート製からなり、分割されたケース体ユニットを連結して、内部には空洞部が形成されると共に、外部形状は各種類の立体形状に似せて構成されたケース体と、
前記ケース体内の空洞部内には、外側が各種の色つきに構成されたＬＥＤ基板と、及び該ＬＥＤ基板を作動させる電源と、該電源をＯＮ、ＯＦＦするスイッチとが内設され、
前記ケース体を各種色つきの半透明色に形成し、前記ＬＥＤ基板におけるＬＥＤの発光色も各種類用意し、
前記選択された色のＬＥＤ基板の色と、前記選択されたＬＥＤの発光色と、前記選択された色つきの半透明色ケース体の色とにより、ＬＥＤの発光が行われないとき、あるいはＬＥＤの発光がなされているときに、各々印象の異なる色で可視できる、  
ことを特徴とするものである。
【発明の効果】
【０００６】
本発明による多用途アクセサリー製品であれば、夜間に光らせることにより、警告灯などの機能を持たせ、いわゆる交通事故を防止したり、自転車に乗るときに当該自転車や自転車で走行する人の服やかばんの携行品、あるいは身体に装着したり、さらにはイヌなどのペットの首輪や引き綱につけ、夜間の散歩では、点灯・点滅させて目立たせ、交通事故から防ぎ、また昼間でも、アクセサリーとしても使用でき、子供あるいはペットに携帯させる場合にネームプレート代わりにもなり、名前・連絡先を書くことで迷子札としても使用でき、またドックランなどの引き綱をつけない状態で、イヌが自由に遊ぶことができる場所での夕方・夜間に使用することで、自分のイヌがどこにいるのか容易に把握でき、また、お年寄りの散歩時に杖やかばん、服にも装着でき、特に夜の散歩時の交通事故などのアクシデントを未然に防止できるなど優れた効果を奏する。
【発明を実施するための最良の形態】
【０００７】
以下、本発明を図に示す実施例に基づいて説明する。
まず、本発明による多用途アクセサリー製品１は、ポリカーボネート製から構成されている。
ここで、ポリカーボネートにつき説明すると、ポリカーボネートは、その衝撃強度がいわゆるアクリルの約40倍、また硬質塩化ビニルの約20倍高いと一般にいわれている。
すなわち、透明あるいは半透明のプラスチック材料中最高クラスの耐衝撃強度を有している。
しかして、ポリカーボネートは、このような高い衝撃強度により、防災、防盗、防護など安全性の面で広い分野に寄与し、各種類の製品に使用されている。
【０００８】
さらに、比較的、軽量で寸法安定性が良く、成形・加工が容易との特徴を有している。
また、ポリカーボネートは、透明度に優れており、かつ光線透過率にも優れている。例えば、ポリカーボネート5mm厚の光線透過率は85%以上と、きわめてその透明性が良好で、しかも熱伝導率が、一般的なガラスの1/5と小さく、さらには保温性にもすぐれており、もって省エネ部材として認知されている。
【０００９】
また、耐熱・耐寒性に優れており、−40℃〜＋120℃の広い範囲で使用できるといわれている。さらに、実使用温度領域が−40℃〜＋120℃と広い温度域で使用でき、例えば、真夏の強烈な日光で軟化変形したり、厳冬の脆化による亀裂さえも生じることがない。また耐候性にもすぐれ、長期間の使用に際しても、日光や風雨による劣化がない。
【００１０】
また、ポリカーボネートは、最高水準の電気絶縁性を有すると共に、その表面硬度性及び耐擦傷性にきわめて優れている。
また、ポリカーボネートは、無色透明のもの、透明度が高くなってはいるが色付けされたもの、透明度を落としたソリッド、メタリック、パールなどが可能であり、その中間のものもできる。
また、中にスパンコールやビーズ、ガラス粉などを入れ、外部からの見え方を変化させることもできる。しかして、本発明では、前記ケース体２をポリカーボネート製で構成してある。
【００１１】
そして、ケース体２は、例えば２分割されたケース体ユニット３，３を予め成形しておき、このケース体ユニット３，３を突き合わせて連結し、ケース体２を構成するものである。
連結されたときに、内部には後述する各種部材が内設されるための空洞部４が形成されると共に、連結後におけるケース体２の外部形状は各種類の立体形状に似せて構成されるものとなる。
【００１２】
ここで、構成される外部形状の具体例を図により説明すると、例えば星の形をしたもの、ハート型・丸型・リボン型をしたもの、あるいは各種の花の形・クローバーなどの葉っぱの形をしたもの、あるいは昆虫やくま、イヌ１３、ウサギなどの動物の形にしたもの、あるいはTシャツや帽子・靴などの生活用品のかたちにしたもの、さらに人気キャラクターの形状を施したもの等が考えられる。
【００１３】
ところで、ケース体ユニット３，３を突き合わせて連結するのであるが、その連結部には、図から理解されるように、ゴム状のパッキンを介在させてあり、これによりケース体２内の防滴・防水を企図している。そして、ケース体ユニット３，３の突き合わせ部５，５に小型ねじ６，６などの連結具を螺挿して固着することにより強固に連結し、長期間の使用によってもケース体２が開かないように構成されている。
【００１４】
ここで、前記ケース体ユニット３，３を連結して構成したケース体２の内部には空洞部４が形成される。そしてこの空洞部４内には、外部の表面に各種のバラエティに富んだ色つきに構成されたＬＥＤ基板７と、及び該色つきＬＥＤ基板７を作動させるボタン電池などの電源８とが内設され、該電源８をＯＮ、ＯＦＦするスイッチ１０が外側から操作できるよう取り付けられている。
ここで、前記色つきＬＥＤ基板７には、所定の間隔及び所定の配列で取り付けられた複数のＥＬＤ９・・・と該複数のＬＥＤ９・・・を点灯あるいは点滅制御するＩＣチップが設けられている。
【００１５】
そして、前記ＩＣチップの起動は前記スイッチ１０を操作することにより行われ、該ＩＣチップを起動して、複数のＬＥＤの所定の配列順序に則った点灯や点滅を行うことが出来るよう構成されている。
しかして、前記ケース体２を各種所定の色つきの半透明色に形成してあり、かつ前記色つきＬＥＤ基板７を各種所定の色に形成してあり、さらには前記色つきＬＥＤ基板７に設けられた複数のＬＥＤ９・・・の発光色も各種所定の色で複数用意するものとする。
【００１６】
そして、その中で選択された色の色つきＬＥＤ基板７の色と、選択された複数のＬＥＤ９・・・の発光色と、さらには選択された色つきの半透明色ケース体の色とにより、ＬＥＤ９の発光が行われないときおいては、前記選択された色つきの半透明色ケース体の色の中に、選択された色の色つきＬＥＤ基板７の色が浮かび上がり、もってきわめて美的外観の美しい製品が提供されるものとなる。    
【００１７】
また、外部から可視できる前記スイッチ１０についても、選択された所定の色をスイッチ１０とすればなおさらである。
また、ＬＥＤ９の発光が行われるときには、色つきの半透明色ケース体２の色の中で強力に前記ＬＥＤ９が発光し、もって優美でカラフルな光の変化を楽しむことが出来るものとなる。なお、色つきの半透明色をなすケース体２の中で前記ＬＥＤ９が発光するため、ケース体２自体の色と前記ＬＥＤ９の発光色が混合し、独自の色で外部から認識されることになる。
【００１８】
そして、複数のＬＥＤ９・・・を使用し、それらを一気に発光させることで、可視度を大幅に向上させることが出来、また夜間使用する場合は、明るく幻想的に、イルミネーション的に光るものとなる。この様に複数色のＬＥＤ９を使用すると共に、バラエティに富んだ発光方法としてあるため、注目度がさらにあがるものとなっている。
【００１９】
また、ＬＥＤ９の種類や形状なども、丸型や四角型やＳＭＤやチュップオンボードなどと変えることで、発光する光の屈折度や拡張度、可視方向を変えることができ、多方向から印象を変えて可視できる様構成することが出来るものとなっている。
また、ＬＥＤ９が発光したときの色としては、現在、赤・青・白・緑・ピンク・紫・黄・オレンジ・水色・青緑などの単色で発光するものあるいは例えば２色が合わさった状態で発光するもの、さらにはフルカラーで発光するものなどの多彩なバリエーションで提供することが出来る。
【００２０】
ＬＥＤ９の種類としても、５mm、３mm、８mmのそれぞれの大きさのもの、チップ型、SMDなどバラエティに富んでおり、これらを自在に選択して用いたり、組み合わせたりすることが出来る。
さらに、ＬＥＤ９の発光の仕方は様々なものがあり、一般に超高輝度型が主流となっているが、横から光を発するタイプや光を広拡散するタイプや狭範囲でまっすぐに遠くまで光を発するタイプなどがあり、これらを状況に応じて選択し、様々な選択や組み合わせで使用することにより、より多くの用途に用いることが出来る。
【００２１】
また、ＬＥＤは寿命が長いため、頻繁に電池交換をしなくとも長時間使用でき、また電池交換を行えばかなりの期間においての使用ができるなど耐久性が高く、コストパフォーマンスの優れた製品となっている。
さらに、使用される電池として例えばコイン型リチウム電池を使用すれば、電池寿命が長いものとなる。
しかも、本発明による製品は、Rohs対応製品であり、充分に環境対策がなされており、有害物質は一切使用されてはいない。
【００２２】
ところで、電池ケース１１の裏側には、各種の情報、例えば「氏名」、「住所」、電話番号などの「連絡先」などを記入できる記入欄が設けられており、持ち主はこれに前記「連絡先」を書くことができ、もって紛失や盗難に対し、スムーズに対処することが出来る。なお前記電池ケース１１はケース体２が小型ねじ６等でしっかりと固着されているため、たとえ強い衝撃や振動が加わっても容易に落ちることはない様設計されている。
この様に本発明による製品は、ネームプレートとしても使用でき、また迷子札ともなりうる。
【００２３】
次に、本発明による製品の用途につき述べる。
前記したように、本発明による製品は、バラエティに富んだ用途がある。例えば、犬１３や猫などのペット用アクセサリーとして、首輪１２や引き綱等につけることが出来る。
そして、夜間の散歩においても、内設されているＬＥＤ９を点灯あるいは・点滅させて目立たせ、交通事故から防ぐことも出来る。
また、いうまでもなく昼間においても、ペット用のアクセサリーとして使用できる。
【００２４】
前記のように、本製品をペットに使用した場合においても、買い主が名前・連絡先などを前記記入欄に書くことでペットの迷子札としても使用できる。前記したが、ドックランなどの引き綱をつけない状態で、イヌ１３が自由に遊ぶことができる場所での夕方・夜間に使用することで、自分のイヌ１３がどこにいるのか容易に把握できることにもなる。
【００２５】
また、本発明による製品は、子供のかばんや、首からぶら下げて使用することが出来る。
特に、夜間に本製品を光らせることで、子供の交通事故を未然に防止したり、不審者から子供を守ることができる。なお、ペットの場合と同様に、ネームプレートとしても使用でき、子供の迷子札として使用出来る。
【００２６】
さらに、本製品をお年寄りの散歩時に、お年寄りが持っている杖やかばん、さらには服にもつけることが出来、特に、夜の散歩時の交通事故を未然に防止することが出来る。当然に、ネームプレートとしても使用でき、迷子札としても使用できる。
また、お年寄りでなくとも、ジョギングなどの際に服や体につけ、特に、夜間に光らせることにより、交通事故を未然に防止することが出来る。
【００２７】
さらに、自転車１４に乗るとき、自転車１４や服、かばん、その他の体の一部につけることにより、自転車１４の灯火が義務づけられた昨今、特に夜間に光らせることにより自身の交通事故を未然に防ぐとともに、対向する自転車１４や歩行者などに自転車１４の走行を知らせることができるものとなる。
【図面の簡単な説明】
【００２８】
【図１】本発明による多用途アクセサリー製品の概略構成を説明する説明図（その１）である。
【図２】色つきＬＥＤ基板の概略構成を説明する説明図である。
【図３】ケース体ユニットの概略構成を説明する説明図である。
【図４】色つき基板の動作状態を説明する説明図である。
【図５】異なる外形からなる多用途アクセサリー製品の概略構成を説明する説明図（その１）である。
【図６】異なる外形からなる多用途アクセサリー製品の概略構成を説明する説明図（その２）である。
【図７】異なる外形からなる多用途アクセサリー製品の概略構成を説明する説明図（その３）である。
【図８】本発明の使用状態を説明する説明図（その１）である。
【図９】本発明の使用状態を説明する説明図（その２）である。
【符号の説明】
【００２９】
１      多用途アクセサリー製品
２      ケース体
３      ケース体ユニット
４      空洞部
５      突き合わせ部
６      小型ねじ
７      色つきＬＥＤ基板
８      電源
９      ＬＥＤ
１０    スイッチ
１１    電池ケース
１２    首輪
１３    イヌ
１４    自転車
【図１】
2009183327.tif 000003
【図２】
2009183327.tif 000004
【図３】
2009183327.tif 000005
【図４】
2009183327.tif 000006
【図５】
2009183327.tif 000007
【図６】
2009183327.tif 000008
【図７】
2009183327.tif 000009
【図８】
2009183327.tif 000010
【図９】
2009183327.tif 000011